(57)【要約】【課題】加熱ヒータに対して再生空気を安価に均一的に当てる。【解決手段】除湿通路１１と再生通路１２とに区画したケーシング１０と、回転可能に配設した除湿ロータ３３と、室内の空気を吸引して乾燥空気を室内に循環供給する室内空気循環ファン４４Ａ，４４Ｂと、再生空気を循環させる再生空気循環ファン４６と、再生空気および除湿ロータ３３を加熱する加熱ヒータ４８と、内部に流通する再生空気を外部に流通する空気により冷却して含有した水分を取り除く熱交換器６０と、取り除いた水分を貯留するタンク６８とを備えた除湿機において、加熱ヒータ４８を収容するヒータケース５２において、除湿ロータ３３と反対側に、再生空気循環ファン４６による再生空気の供給方向と交差する方向に延びる風向変更板５９ａ〜５９ｄを設けた構成とする。【選択図】  図６
2004278993.tif 000002
【特許請求の範囲】
【請求項１】
内部を除湿通路と再生通路とに区画したケーシングと、
前記両通路に跨って駆動手段により回転可能に配設した除湿ロータと、
前記除湿通路内に配設し、室内の空気を吸引して前記除湿ロータによって除湿した乾燥空気を室内に循環供給する室内空気循環ファンと、
前記再生通路内に配設し、再生空気を循環させる再生空気循環ファンと、
前記再生通路内にヒータケースに収容した状態で配設し、前記再生空気および除湿ロータを加熱する加熱ヒータと、
前記除湿通路内に配設するとともに前記再生通路の一部を構成し、内部に流通する再生空気を外部に流通する空気により冷却して含有した水分を取り除く熱交換器と、
前記熱交換器により取り除いた水分を貯留するタンクと
を備えた除湿機において、
前記加熱ヒータを収容するヒータケースの前記除湿ロータと反対側に、前記再生空気循環ファンによる再生空気の供給方向と交差する方向に延びる風向変更板を設けたことを特徴とする除湿機。
【請求項２】
前記風向変更板は、前記ヒータケース内に配設する反射板を切り起こして形成したものであることを特徴とする請求項１に記載の除湿機。
【請求項３】
前記風向変更板を複数設け、その風向変更板の突出量を前記再生空気の供給方向の上流側から下流側に向けて順次大きくしたことを特徴とする請求項２に記載の除湿機。
【請求項４】
前記風向変更板は、前記ヒータケースから加熱ヒータに近接する位置まで延びるように、前記再生空気の供給方向に沿って所定間隔をもって複数設けられており、各風向変更板に前記ヒータケースからヒータに向けて延びる通気孔を形成するとともに、この通気孔を前記再生空気の供給方向の上流側から下流側に向けて順次小さくしたことを特徴とする請求項１に記載の除湿機。
【請求項５】
前記加熱ヒータは、支持部材にヒータ線を巻回したもので、前記風向変更板は、前記支持部材の一部を対向するヒータケースの壁面に向けて延びるように形成したものであることを特徴とする請求項１に記載の除湿機。
【発明の詳細な説明】
【０００１】
【発明の属する技術分野】
本発明は、除湿機に関するものである。
【０００２】
【従来の技術】
この種の除湿機は、ケーシング内が除湿通路と再生通路とに区画され、これら通路に跨って円板状の除湿ロータが回転可能に配設されている。
【０００３】
前記除湿通路には、室内の空気を吸気口から吸引し、排気口から室内に循環供給するための室内空気循環ファンが配設されている。前記再生通路には、該再生通路内の再生空気を循環させる再生空気循環ファンと、前記再生空気および除湿ロータを加熱する加熱ヒータとが配設されている。また、ケーシング内には、前記再生通路の一部を構成する熱交換器が配設されている。
【０００４】
そして、前記除湿通路では、吸引した室内の空気を前記除湿ロータを通過することにより、吸引した空気に含有した水分が吸着され、乾燥した空気として排気口から室内に循環供給される。
【０００５】
また、再生通路では、内部の再生空気が前記加熱ヒータで加熱され、この状態で前記除湿ロータを通過することにより、該除湿ロータが吸着した水分を放出する。そして、その再生空気が、熱交換器を通過する際に熱交換によって冷却されると、含有した水分が結露する。これにより、再生空気に含まれた水分は取り除かれ、結露した水はタンクに回収される。
【０００６】
この除湿機では、前記再生空気循環ファンによる再生空気は、その風量が加熱ヒータに対して均一的に当たることが好ましく、不均一である場合には、風量の弱い部分が異常高温となり、除湿ロータが劣化するとともに、加熱ヒータ自体の使用可能な期間（寿命）も短くなるという問題がある。
【０００７】
この除湿機において、前記問題を防止するための先行技術文献情報としては次のものがある。
【０００８】
【特許文献１】
特開平１１−３００１４４号公報
【０００９】
この特許文献１に記載の除湿機では、加熱ヒータにおいて、再生空気が供給される上流側を仕切板によって区画し、その仕切板に複数の通気孔を設けることにより、加熱ヒータの各部位に供給される再生空気の量を調整している。
【００１０】
【発明が解決しようとする課題】
しかしながら、前記除湿機において、加熱ヒータを区画するために別部材の仕切板を設けた場合には、部品点数が多くなる。また、前記仕切板を加熱ヒータを収容するヒータケースと一体に形成する場合には、そのヒータケースが複雑な形状をなす。そのため、いずれにしてもコスト高になるという問題がある。さらに、通気孔が設けられていない覆われた部分は通気性がが悪いため、その部分がやはり異常高温になる可能性がある。
【００１１】
そこで、本発明では、加熱ヒータに対して再生空気を安価に均一的に当てることができる除湿機を提供することを課題とするものである。
【００１２】
【課題を解決するための手段】
前記課題を解決するため、本発明の除湿機は、内部を除湿通路と再生通路とに区画したケーシングと、前記両通路に跨って駆動手段により回転可能に配設した除湿ロータと、前記除湿通路内に配設し、室内の空気を吸引して前記除湿ロータによって除湿した乾燥空気を室内に循環供給する室内空気循環ファンと、前記再生通路内に配設し、再生空気を循環させる再生空気循環ファンと、前記再生通路内にヒータケースに収容した状態で配設し、前記再生空気および除湿ロータを加熱する加熱ヒータと、前記除湿通路内に配設するとともに前記再生通路の一部を構成し、内部に流通する再生空気を外部に流通する空気により冷却して含有した水分を取り除く熱交換器と、前記熱交換器により取り除いた水分を貯留するタンクとを備えた除湿機において、前記加熱ヒータを収容するヒータケースの前記除湿ロータと反対側に、前記再生空気循環ファンによる再生空気の供給方向と交差する方向に延びる風向変更板を設けた構成としている。
【００１３】
この除湿機では、前記風向変更板は、前記ヒータケース内に配設する反射板を切り起こして形成したものであることが好ましい。
【００１４】
この場合、前記風向変更板を複数設け、その風向変更板の突出量を前記再生空気の供給方向の上流側から下流側に向けて順次大きくすることが好ましい。
【００１５】
また、前記風向変更板は、前記ヒータケースから加熱ヒータに近接する位置まで延びるように、前記再生空気の供給方向に沿って所定間隔をもって複数設けられており、各風向変更板に前記ヒータケースからヒータに向けて延びる通気孔を形成するとともに、この通気孔を前記再生空気の供給方向の上流側から下流側に向けて順次小さくしてもよい。
【００１６】
また、前記加熱ヒータは、支持部材にヒータ線を巻回したもので、前記風向変更板は、前記支持部材の一部を対向するヒータケースの壁面に向けて延びるように形成してもよい。
【００１７】
これらの除湿機では、風向変更板によって加熱ヒータに対して再生空気を均一的に当てることができるため、除湿ロータが部分的に異常高温になることを防止できる。また、部品点数が多くなったり、ヒータケースの形状が複雑になることはない。そのため、機器自体がコスト高になることを抑制できる。
【００１８】
【発明の実施の形態】
以下、本発明の実施の形態を図面に従って説明する。
図１は、本発明の第１実施形態に係る除湿機を示す。この除湿機は、大略、矩形状をなすケーシング１０の内部を除湿通路１１と再生通路１２とに区画し、その内部に、除湿ロータ３３と、室内空気循環ファン４４Ａ，４４Ｂと、再生空気循環ファン４６と、加熱ヒータ４８と、熱交換器６０とを水平に配設するとともに、下部にタンク６８を配設したものである。
【００１９】
前記ケーシング１０は、図２（Ａ），（Ｂ）に示すように、基枠１３の前後に前カバー１４と後カバー１５とを配設したものである。前記前カバー１４の上部にはルーバー１６を備えた排気口１７が形成されている。前記後カバー１５には、垂直方向に延びる複数のスリットからなる吸気口１８が形成されている。また、ケーシング１０には、前記基枠１３にカバー１４，１５を組み付けることにより、その下部にタンク収容室１９が形成される。
【００２０】
前記基枠１３の前面側には、図３に示すように、一対のインボリュート通路を構成する壁２０ａ，２０ｂを備えるとともに開口された室内空気循環ファン配設部２０Ａ，２０Ｂと、再生空気循環ファン配設部２１と、該再生空気循環ファン配設部２１から後述する加熱ヒータ配設部２６にかけて延びるダクト部２２とが設けられている。このダクト部２２は、断面凹字形状の溝からなり、この溝に内嵌する逆凹字形状のダクトカバー２３を配設することにより再生通路１２の一部を構成する。また、本実施形態のダクトカバー２３の上面には、前記室内空気循環ファン配設部２０Ａのインボリュート通路の一部を構成する壁部２４が設けられている。さらに、前記室内空気循環ファン配設部２０Ａ，２０Ｂの間には、除湿通路１１の一部を構成する開口部２５が設けられている。
【００２１】
また、基枠１３の後面側には、図４および図５に示すように、加熱ヒータ配設部２６と、除湿ロータ配設部２７と、前記再生空気循環ファン配設部２１に連通する円筒状のダクト２８とが設けられている。前記加熱ヒータ配設部２６は、前記ダクト部材と連通している。除湿ロータ配設部２７は、図５に示すように、後述する除湿ロータ３３の保持部材３６の下端縁より肉厚の周壁２９の上面に、ガイド用の凹溝３０を設けたものである。また、この基枠１３の後面側下端には、図示しない制御基板に電力を供給するためのコードリール３１を配設するためのコードリール配設部３２が設けられている。
【００２２】
なお、前記再生通路１２は、再生空気循環ファン配設部２１、該配設部２１と連通したダクト部２２、該ダクト部２２と連通した加熱ヒータ配設部２６、該配設部２６と対応するように除湿ロータ３３の反対側に配設したロータカバー、および、該ロータカバーに接続するとともに前記再生空気循環ファン配設部２１に接続する熱交換器６０により構成される。そして、この区画された再生通路１２および前記タンク収容室１９を除くケーシング１０内が、前記除湿ロータ３３を介して吸気口１８と排気口１７とを連通させる除湿通路１１を構成する。
【００２３】
前記除湿ロータ３３は、その約３／４が除湿通路１１内に位置し、約１／４が再生通路１２内に位置するように、前記両通路１１，１２に跨って駆動モータ３４により回転可能に配設した円板状のものである。具体的には、この除湿ロータ３３は、図５に示すように、ゼオライトまたはシリカゲルを結合させたメッシュ状のセラミックハニカムからなるロータ本体３５を、樹脂製の保持部材３６によって保持させたものである。
【００２４】
前記保持部材３６は、ロータ本体３５の中央に位置する軸受部３７と、ロータ本体３５の外周部に位置する外壁部３８と、これらを加熱ヒータ４８と反対に位置する熱交換器６０の側で連結する連結枠３９とからなる。前記外壁部３８には、外方に突出するフランジ部４０が設けられるとともに、駆動モータ３４の出力軸に配設した歯車３４ａに噛み合う複数の凸状歯４１が設けられている。
【００２５】
なお、本実施形態では、前記除湿ロータ３３は、除湿動作中には、約２分で１回転するように、前記駆動モータ３４の回転数および歯車３４ａと凸状歯４１とのギア比が設定されている。また、前記除湿ロータ３３において、加熱ヒータ４８を収容するヒータケース５２との対応位置に反対面には、ローターカバー４２が配設されている。このローターカバー４２には、ヒータケース５２と同一形状の接続部４３が設けられ、この接続部４３に前記熱交換器６０の流入口６４が接続される。
【００２６】
前記室内空気循環ファン４４Ａ，４４Ｂは、前記除湿通路１１内において、室内空気循環ファン配設部２０Ａ，２０Ｂに配設される一対のシロッコファンで構成され、それぞれモータ４５Ａ，４５Ｂの駆動により回転する。これにより、図１に実線の矢印で示すように、後カバー１５の吸気口１８から室内の空気を吸引し、前記除湿ロータ３３によって除湿した乾燥空気を前カバー１４の排気口１７から室内に循環供給するものである。
【００２７】
前記再生空気循環ファン４６は、前記再生通路１２内において、前記再生空気循環ファン配設部２１に配設され、モータ４７の駆動により回転する。これにより、図１に破線の矢印で示すように、再生通路１２内の再生空気を、ダクト部２２を介して加熱ヒータ４８のヒータケース５２内に供給し、除湿ロータ３３、および、熱交換器６０の順で循環させるものである。
【００２８】
前記加熱ヒータ４８は、前記除湿ロータ３３の前方に配設され、図示しない電源回路からの供給電力により発熱し、再生空気および除湿ロータ３３を加熱するものである。この加熱ヒータ４８は、支持部材４９に連続した１巻きのヒータ線５０を巻回したもので、前記再生通路１２を構成するヒータケース５２を介して前記加熱ヒータ配設部２６に配設される。ここで、前記支持部材４９は、除湿ロータ３３において、その中心に向けて半径方向に延びる矩形状の３つのマイカ板５１Ａと、これらマイカ板５１Ａを連結する複数のマイカ板５１Ｂとからなる略台形状のものである。
【００２９】
前記ヒータケース５２は、図６に示すように、ケース本体５３と、該ケース本体５３の開口を閉塞するヒータカバー５５と、ヒータケース５２の閉塞面に配設する反射板５８とからなり、これらをアルミメッキ鋼板により形成したものである。このヒータケース５２の内部は、除湿ロータ３３の回転方向において、加熱ヒータ４８を配設する後側の加熱領域と、前側の冷却領域とに区画される。言い換えれば、このヒータケース５２の内部は、再生空気の供給方向において、下流側に位置する加熱領域と、上流側に位置する冷却領域とに区画されている。
【００３０】
前記ケース本体５３は、除湿ロータ３３の略１／４の領域に対応する扇形形状をなす受け皿形状のもので、前記ダクト部２２と対応する冷却領域の側壁には再生空気を導入するための開口した接続部５４が設けられている。
【００３１】
前記ヒータカバー５５は、前記ケース本体５３の開口を閉塞するとともに加熱ヒータ配設部２６の形状と略一致したものである。このヒータカバー５５における加熱領域に対応する部分には、加熱ヒータ４８による熱および加熱した再生空気を除湿ロータ３３に当てるための開孔５６が前記支持部材４９と略同一形状で設けられている。また、このヒータカバー５５における冷却領域に対応する部分には、加熱ヒータ４８によって加熱していない再生空気を除湿ロータ３３に供給するための多数の貫通孔５７が設けられている。
【００３２】
前記反射板５８は、輻射による加熱ヒータ４８の熱の損失を防止するためのもので、前記加熱ヒータ４８に対して除湿ロータ３３と反対側に位置するように、前記ケース本体５３にネジ止めなどによって固定される。この反射板５８には、前記加熱ヒータ４８に向けて延びる４つの風向変更板５９ａ〜５９ｄが切り起こしにより設けられている。
【００３３】
ここで、図４に一点鎖線で示すように、前記ヒータケース５２の内部において前記再生空気循環ファン４６による再生空気の流動（供給方向）は、除湿ロータ３３の軸心を中心として円弧状に流動する。そのため、本実施形態では、前記風向変更板５９ａ〜５９ｄは、前記再生空気の供給方向と略直角に交差するように、除湿ロータ３３の半径方向と略平行に延びるように設けられている。また、これら風向変更板５９ａ〜５９ｄは、再生空気の供給方向における上流側に位置する風向変更ａから風向変更板５９ｄに向けて順次加熱ヒータに向けて延びる突出量が大きくなるように構成している。即ち、風向変更板５９ｂは風向変更板５９ａより突出量が大きく、風向変更板５９ｃは風向変更板５９ｂより突出量が更に大きく、風向変更板５９ｄは風向変更板５９ｃより突出量が更に大きくなるように構成している。
【００３４】
前記熱交換器６０は、前記除湿通路１１内において、前記除湿ロータ３３の背面側に配設されるとともに前記再生通路１２の一部を構成するもので、図７（Ａ），（Ｂ）に示すように、真空成形または圧空成形により形成した一対のパネル６１Ａ，６１Ｂを溶着した樹脂製のものである。各パネル６１Ａ，６１Ｂは、互いに対称に位置する複数の仕切用凹条６２Ａ，６２Ｂを備え、これら仕切用凹条６２Ａ，６２Ｂを除く部位により再生空気を通過させる複数の流路６３が形成されている。また、一方のパネル６１Ａには、加熱ヒータ４８を収容するヒータケース５２の形状と対応する扇形状の流入口６４と、基枠１３のダクト２８と対応する円形状の流出口６５と、結露水をタンク６８に排水するためのドレン部６６とが設けられている。さらに、貼り合わされた仕切用凹条６２Ａ，６２Ｂの部位には、吸引した室内の空気を流通させるための通孔６７が設けられている。
【００３５】
前記タンク６８は、図２（Ｂ）および図４に示すように、上面開口の箱体形状をなし、その内部にはフロート部材６９が回動可能に配設されている。このフロート部材６９は、タンク６８内の水位が上昇すると、下部のフロート部６９ａが浮き上がることにより全体が回動する。
【００３６】
なお、前記タンク収容室１９には、上端開口の箱体形状をなすサブタンク７０が配設されている。このサブタンク７０には、水平方向に移動可能な弁動作部７１が配設され、この弁動作部７１に弁７２が配設されている。この弁動作部７１は、スプリングによって常閉状態を維持するように構成されており、タンク６８を装着することにより前記フロート部材６９の上端の押圧部６９ｂが当接して開弁する。そして、タンク６８内の水位が上昇してフロート部材６９が回動することにより、押圧部６９ｂによる弁動作部７１の押圧が解除され、閉弁するように構成している。また、前記弁動作部７１には、分岐したマイクロスイッチ動作部７１ａが設けられ、押圧部６９ｂによる弁動作部７１の押圧が解除されると、マイクロスイッチ７３を介して満水状態を検出できるようにしている。
【００３７】
前記除湿機に実装した図示しない制御手段は、電源スイッチがオン状態になり、ケーシング１０の収容室に貯水タンクがセットされ、かつ、満水状態でない場合に、前記除湿ロータ３３の駆動モータ３４、室内空気循環ファン４４Ａ，４４Ｂのモータ４５Ａ，４５Ｂ、再生空気循環ファン４６のモータ４７、および、加熱ヒータ４８に対して電力を通電して除湿動作を開始する。また、タンク６８内が満水状態になると、前記各構成部品への通電を停止して除湿動作を停止するものである。
【００３８】
次に、前記除湿機による除湿動作について具体的に説明する。
まず、除湿通路１１では、前記室内空気循環ファン４４Ａ，４４Ｂの駆動により、後カバー１５の吸気口１８から室内の空気が吸引される。そして、その吸引された空気は、熱交換器の通孔６７を通過する際に再生空気との熱交換によって加熱され、この状態で、除湿ロータ３３を通過する際に、含有した水分が吸着される。これにより、乾燥した空気として前カバー１４の排気口１７から室内に循環供給される。
【００３９】
一方、再生通路１２では、再生空気循環ファン４６の駆動により、内部の再生空気がダクト部２２を通って加熱ヒータ４８を収容したヒータケース５２内に流入する。その後、その再生空気は、加熱ヒータ４８で加熱された後、除湿ロータ３３を通過する際に、該除湿ロータ３３が吸着した水分を吸着する。ついで、再生空気は、熱交換器６０に流入し、隔離された除湿通路１１を流通する室内の空気との温度差による熱交換で冷却され、含有した水分が結露する。これにより、再生空気は、乾燥状態として再生空気循環ファン４６により前記加熱ヒータ４８の側に再び供給される。また、結露した水は、熱交換器６０のドレン部６６からサブタンク７０を経てタンク６８に回収される。
【００４０】
次に、ヒータケース５２内での再生空気の流れについて具体的に説明する。
このヒータケース５２の内部に流入した再生空気は、ケース本体５３の側壁の形状に沿って略円弧状に流動する。そして、図８に示すように、流入した再生空気の一部が上流側に位置する風向変更板５９ａに当接し、加熱ヒータ４８に向けて流動するように風向が変更される。また、風向が変更されていない残りの再生空気は、その一部が風向変更板５９ｂに当接し、加熱ヒータ４８に向けて流動するように風向が変更される。さらに、風向が変更されていない残りの再生空気は、その一部が風向変更板５９ｃに当接し、加熱ヒータ４８に向けて流動するように風向が変更される。さらにまた、風向が変更されていない残りの再生空気は、その一部が風向変更板５９ｄに当接し、加熱ヒータ４８に向けて流動するように風向が変更される。そして、風向が変更されていない残りの再生空気は、ケース本体５３の側壁に当接し、加熱ヒータ４８に向けて流動するように風向が変更される。
【００４１】
このように、本実施形態の除湿機では、ヒータケース５２内において再生空気が流動する方向を上流側から順次変更する風向変更板５９ａ〜５９ｄを設けているため、加熱ヒータ４８に対して再生空気を均一的に当てることができる。そのため、除湿ロータ３３に対して再生空気が当たらない部分が生じ、その部分が異常高温になることを防止できる。また、前記風向変更板５９ａ〜５９ｄは、既存の反射板５８の一部を切り起こすことにより形成しているため、部品点数が多くなったり、ヒータケース５２の形状が複雑になることはない。そのため、機器自体がコスト高になることを抑制できる。
【００４２】
図９および図１０は、第２実施形態の除湿機を示す。この第２実施形態では、略凹字形状をなす一対の反射板７５Ａ，７５Ｂを形成し、その平行に延びる板部分により風向変更板７７ａ〜７７ｄを構成するようにした点で第１実施形態と相違している。
【００４３】
具体的には、図９に示すように、第２実施形態の反射板７５Ａ，７５Ｂは、輻射による加熱ヒータ４８の熱の損失を防止するとともに、前記ケース本体５３に対してネジ止めなどによって固定される固定部７６Ａ，７６Ｂを備え、この固定部７６Ａ，７６Ｂの両側を屈曲させて合計で４つの風向変更板７７ａ〜７７ｄを形成したものである。なお、固定部の一側を屈曲させたＬ字形状のものを複数設けてもよい。
【００４４】
前記風向変更板７７ａ〜７７ｄは、加熱ヒータ４８と対向するケース本体５３の閉塞壁から加熱ヒータ４８に近接する位置まで延びる寸法で形成されている。また、各風向変更板７７ａ〜７７ｄには、前記固定部７６Ａ，７６Ｂから加熱ヒータ４８の方向である先端に向けて延びる通気孔７８ａ，７８ｂ，７８ｃ，７８ｄが設けられている。これら通気孔７８ａ〜７８ｄは、再生空気の供給方向上流側から下流側に向けて順次小さくなるように構成されている。即ち、通気孔７８ａ〜７８ｄの開口面積は、通気孔７８ａ＞通気孔７８ｂ＞通気孔７８ｃ＞通気孔７８ｄとなるように構成されている。これにより、加熱ヒータ４８における支持部材４９から直交方向に突出するように位置する風向変更板７７ａ〜７７ｄの残留部分は、再生空気の供給方向上流側から下流側に向けて順次大きくなる。
【００４５】
前記反射板７５Ａ，７５Ｂは、前記風向変更板７７ａ〜７７ｄが前記再生空気の供給方向に沿って上流側から所定間隔をもって位置し、その供給方向と略直角に交差して延びるように前記ケース本体５３に固定される。
【００４６】
このように構成した第２実施形態の除湿機では、第１実施形態と同様に、基体内において再生空気を循環させることができるとともに、室内の空気を吸引して除湿した乾燥空気として室内に循環供給することができる。
【００４７】
また、この第２実施形態において、ヒータケース５２の内部では、流入した再生空気は、まず、第１実施形態と同様にケース本体５３の側壁の形状に沿って略円弧状に流動する。そして、図１０に示すように、流入した再生空気の一部が上流側に位置する風向変更板７７ａの残留部分に当接し、加熱ヒータ４８に向けて流動するように風向が変更される一方、他の再生空気は通気孔７８ａを通過して下流側に流動する。また、通気孔７８ａを通過した再生空気は、その一部が風向変更板７７ｂの残留部分に当接し、加熱ヒータ４８に向けて流動するように風向が変更される一方、他の再生空気は通気孔７８ｂを通過して下流側に流動する。さらに、通気孔７８ｂを通過した再生空気は、その一部が風向変更板７７ｃの残留部分に当接し、加熱ヒータ４８に向けて流動するように風向が変更される一方、他の再生空気は通気孔７８ｃを通過して下流側に流動する。さらにまた、通気孔７８ｃを通過した再生空気は、その一部が風向変更板７７ｄの残留部分に当接し、加熱ヒータ４８に向けて流動するように風向が変更される一方、他の再生空気は通気孔７８ｄを通過して下流側に流動する。そして、通気孔７８ｄを通過した再生空気は、ケース本体５３の側壁に当接し、加熱ヒータに向けて流動するように風向が変更される。
【００４８】
このように、第２実施形態の除湿機では、第１実施形態と同様に、風向変更板７７ａ〜７７ｄによって、加熱ヒータ４８に対して再生空気を均一的に当てることができるため、除湿ロータ３３が部分的に異常高温になることを防止できる。また、部品点数が多くなったり、ヒータケース５２の形状が複雑になることはない。そのため、機器自体がコスト高になることを抑制できる。
【００４９】
図１１および図１２は、第３実施形態の除湿機を示す。この第３実施形態では、風向変更板８０ａ〜８０ｄを、ヒータ線５０を巻回する支持部材４９を構成するマイカ板５１Ａの一部を対向するケース本体５３の閉塞された壁面に向けて延ばして構成した点で第１実施形態と相違している。
【００５０】
具体的には、図１１に示すように、第３実施形態の支持部材４９は、除湿ロータ３３の中心に向けて半径方向に延びる矩形状の６つのマイカ板５１Ａ１〜５１Ａ６と、これらマイカ板５１Ａ１〜５１Ａ６を連結する複数のマイカ板５１Ｂとからなる。そして、両端間に位置する４つのマイカ板５１Ａ２〜５１Ａ５を延ばし、その突出部分により再生空気の供給方向に沿って上流側から所定間隔をもって位置し、その供給方向と略直角に交差して延びる風向変更板８０ａ〜８０ｄを形成している。
【００５１】
このように構成した第３実施形態の除湿機では、第１実施形態と同様に、基体内において再生空気を循環させることができるとともに、室内の空気を吸引して除湿した乾燥空気として室内に循環供給することができる。
【００５２】
また、この第３実施形態において、ヒータケース５２の内部では、流入した再生空気は、まず、第１実施形態と同様にケース本体５３の側壁の形状に沿って略円弧状に流動する。そして、図１２に示すように、流入した再生空気の一部は上流側に位置する風向変更板８０ａに当接し、加熱ヒータ４８に向けて流動するように風向が変更される。また、風向が変更されていない残りの再生空気は、その一部が風向変更板８０ｂに当接し、加熱ヒータ４８に向けて流動するように風向が変更される。さらに、風向が変更されていない残りの再生空気は、その一部が風向変更板８０ｃに当接し、加熱ヒータ４８に向けて流動するように風向が変更される。さらにまた、風向が変更されていない残りの再生空気は、その一部が風向変更板８０ｄに当接し、加熱ヒータ４８に向けて流動するように風向が変更される。そして、風向が変更されていない残りの再生空気は、ケース本体５３の側壁に当接し、加熱ヒータ４８に向けて流動するように風向が変更される。そのため、第１実施形態および第２実施形態と同様の作用、効果を得ることができる。
【００５３】
なお、本発明の除湿機は、前記実施形態の構成に限定されるものではなく、種々の変更が可能である。
【００５４】
例えば、前記各実施形態では、それぞれ４つの風向変更板を設けたが、その数は希望に応じて変更可能である。
【００５５】
また、第２実施形態では通気孔７８ａ〜７８ｄを切り起こしにより形成し、その切り起こす部分を再生空気の供給方向上流側に向けて突出させてリブを構成するようにしてもよい。このようにすれば、風向変更板７７ａ〜７７ｄに当たった再生空気が下流側に乗り越えることを抑制できる。また、第３実施形態にも風向変更板８０ａ〜８０ｄの先端から、再生空気の供給方向上流側に向けて突出するリブを設けてもよい。
【００５６】
【発明の効果】
以上の説明から明らかなように、本発明の除湿機では、加熱ヒータを収容するヒータケース内において再生空気の供給方向と交差する方向に延びる風向変更板を設けているため、加熱ヒータに対して再生空気を均一的に当てることができる。そのため、除湿ロータに対して再生空気が当たらない部分が生じ、その部分が異常高温になることを防止できる。また、前記風向変更板は、既存の反射板の一部を切り起こすことにより形成しているため、部品点数が多くなったり、ヒータケースの形状が複雑になることはない。そのため、機器自体がコスト高になることを抑制できる。
【図面の簡単な説明】
【図１】本発明の実施形態に係る除湿機を示す概略図である。
【図２】（Ａ），（Ｂ）は除湿機の具体的構成を示す断面図である。
【図３】基枠の前面側の構成を示す分解斜視図である。
【図４】除湿機の後面側の構成を示す断面図である。
【図５】基枠と加熱ヒータと除湿ロータの関係を示す分解斜視図である。
【図６】第１実施形態の加熱ヒータとヒータケースとの関係を示す分解斜視図である。
【図７】（Ａ）は熱交換器の正面図、（Ｂ）は（Ａ）の要部拡大断面図である。
【図８】第１実施形態でのヒータケース内の再生空気の流動状態を示す断面図である。
【図９】第２実施形態の加熱ヒータとヒータケースとの関係を示す分解斜視図である。
【図１０】第２実施形態でのヒータケース内の再生空気の流動状態を示す断面図である。
【図１１】第３実施形態の加熱ヒータとヒータケースとの関係を示す分解斜視図である。
【図１２】第３実施形態でのヒータケース内の再生空気の流動状態を示す断面図である。
【符号の説明】
１０…ケーシング、１１…除湿通路、１２…再生通路、３３…除湿ロータ、４４Ａ，４４Ｂ…室内空気循環ファン、４６…再生空気循環ファン、４８…加熱ヒータ、４９…支持部材、５０…ヒータ線、５２…ヒータケース、５３…ケース本体、５５…ヒータカバー、５８…反射板、５９ａ〜５９ｄ…風向変更板、６０…熱交換器、６８…タンク、７５Ａ，７５Ｂ…反射板、７７ａ〜７７ｄ…風向変更板、７８ａ〜７８ｄ…通気孔、８０ａ〜８０ｄ…風向変更板。
【図１】
2004278993.tif 000003
【図２】
2004278993.tif 000004
【図３】
2004278993.tif 000005
【図４】
2004278993.tif 000006
【図５】
2004278993.tif 000007
【図６】
2004278993.tif 000008
【図７】
2004278993.tif 000009
【図８】
2004278993.tif 000010
【図９】
2004278993.tif 000011
【図１０】
2004278993.tif 000012
【図１１】
2004278993.tif 000013
【図１２】
2004278993.tif 000014